(57)【特許請求の範囲】
【請求項１】
ハウジングと、当該ハウジングの一部から突出する一対の端子と、当該端子間に接続され、前記ハウジングの収納部に収納される可容体とを備えたヒューズであって、
前記ハウジングの収納部内における両端子間には、前記可容体が溶断したときに発生する可容体構成金属ガスが当該収納部の内面に連続して付着することを防止する折曲突部を設け、
当該折曲突部は、前記収納部の内面の全周にわたり連続しており、
当該折曲突部は、脚部と頂部とからなる断面略T字状であることを特徴とするヒューズ。
【請求項２】
前記ハウジングは、ハウジング構成材料を型に流し込んで形成されており、
前記収納部の底面と、前記折曲突部とは別体として形成されていることを特徴とする請求項１に記載のヒューズ。
【請求項３】
前記収納部の底面は、前記ハウジングの外側から取り付けられる外側カバーにより構成されていることを特徴とする請求項２に記載のヒューズ。
【発明の詳細な説明】
【技術分野】
【０００１】
本願発明は、主に自動車用電気回路等に接続される、ヒューズに関する。
【背景技術】
【０００２】
従来から、ヒューズは、自動車等に搭載されている電気回路や、電気回路に接続されている各種電装品を保護するために用いられてきた。詳しくは、電気回路中に意図しない過電流が流れた場合に、ヒューズに内蔵されたヒューズエレメントの可容体が過電流による発熱により溶断して、各種電装品に過度な電流が流れないように保護している。
【０００３】
ただ、従来のヒューズにおいては、ヒューズエレメントの溶断時に、ガス化した可容体構成金属がハウジング内面に連続的に付着することがあった。そして、この状態で、ヒューズに電圧が印加されると、ハウジング内部においてリーク電流が発生しやすい。そのため、両端子間の絶縁性能が低下してしまい、ヒューズエレメントの可容体が溶断した後でも、リーク電流がハウジングの内面を流れて両端子間の導通が継続し、ハウジング及び端子の溶損が発生する問題があった。
【０００４】
この問題を解決するために、特許文献１のヒューズは、ハウジングと、その所定平面から突出して並列状態に並ぶ一対の端子とを備え、両端子の基端側間に接続された可溶体を前記ハウジング内に収納したヒューズ素子において、前記ハウジング内における両端子間には、可溶体が溶断したときに発生する可溶体構成金属ガスが当該ハウジングの内面に連続して付着することを防止する連続付着防止手段として、ハウジングの内面に形成した折曲突部を設けていた。特に、この特許文献１のヒューズのハウジング（特許文献１の図４参照）は、ブレード型ヒューズに対応した、全体を一体形成したもので、該ハウジングの相対する前後の内面のみに、折曲突部を設けている。そして、この特許文献１のヒューズは、対象とする車両電流は比較的低く（約1000A）、過電流が流れると比較的短時間で溶断するものであった。
【０００５】
しかしながら、近年、対象とする車両は、過電流が高く(2500A等)、設定されるヒューズ容量が大きいため、過電流が流れてもアークの持続時間が長いので、直ぐには溶断しないヒューズ、例えば自動車用のモータ等に用いられるヒューズにおいても、リーク電流がハウジングの内面を流れて両端子間の導通が継続し、ハウジング及び端子の溶損が発生する問題が生じており、この問題を解決する必要があった。
【０００６】
特に、自動車用のモータ等に用いられるヒューズでは、流れる電流が大きく、また、それに応じて可容体の体積も比較的大きくなっている。そのため、過電流が流れた際に、ガス化した可容体構成金属は、ハウジング内面に広範囲にわたって多く拡散する。
【０００７】
そして、特許文献１のヒューズでは、ハウジングの相対する前後の内面のみに、折曲突部を設けているので、当該ハウジングの構造を、上述した中電流向けのヒューズに適用すると、広範囲に拡散するガス化した可容体構成金属が、折曲突部を有する前後の内面のみならず、折曲突部を有しない上下のハウジングの内面に付着する虞がある。そのため、リーク電流がハウジングの上下の内面を流れて両端子間の導通が継続し、ハウジング及び端子の溶損が発生する可能性があった。
【先行技術文献】
【特許文献】
【０００８】
【特許文献１】特開２００２−１３３９９８
【発明の開示】
【発明が解決しようとする課題】
【０００９】
そこで、本願発明は、上記問題に鑑み、ヒューズに流れる電流が大きい場合であっても、可容体の溶断時に両端子間の導通が継続するのを、確実に防止するヒューズを提供することを目的とする。
【課題を解決するための手段】
【００１０】
本願発明のヒューズは、ハウジングと、当該ハウジングの一部から突出する一対の端子と、当該端子間に接続され、前記ハウジングの収納部に収納される可容体とを備えたヒューズであって、前記ハウジングの収納部内における両端子間には、前記可容体が溶断したときに発生する可容体構成金属ガスが当該収納部の内面に連続して付着することを防止する折曲突部を設け、当該折曲突部は、前記収納部の内面の全周にわたり連続していることを特徴としている。
【００１１】
上記特徴によれば、ハウジングの収納部の内面の全周にわたり、折曲突部が連続して形成されているので、収納部の内面に可容体構成金属ガスが連続して付着することを確実に防止でき、その結果、リーク電流がハウジングの内面を流れて両端子間の導通が継続し、ハウジング及び端子の溶損が発生することを回避できる。
【００１２】
さらに、本願発明のヒューズは、前記ハウジングが、ハウジング構成材料を型に流し込んで形成されており、前記収納部の底面と、前記折曲突部とは別体として形成されていることを特徴としている。
【００１３】
上記特徴によれば、ハウジングがハウジング構成材料を型に流し込んで形成される場合、そのハウジングを型から外す際に、折曲突部が型に引っ掛かる事がなく、スムーズに外すことができる。
【００１４】
さらに、本願発明のヒューズは、前記収納部の底面が、前記ハウジングの外側から取り付けられる外側カバーにより構成されていることを特徴としている。
【００１５】
上記特徴によれば、ハウジングの外側から、外側カバーを単純に取付けさえすればよいので、ヒューズの組み立てが非常に容易となる。
【発明の効果】
【００１６】
上記したように、本願発明のヒューズによれば、ヒューズに流れる電流が大きい場合であっても、可容体の溶断時に両端子間の導通が継続するのを確実に防止できる。
【図面の簡単な説明】
【００１７】
【図１】本願発明に係るヒューズの全体斜視図である。
【図２】図１に示すヒューズのハウジングを構成する２つのハウジング分割体の一方を示すもので、（ａ）は当該ハウジング分割体の平面図、（ｂ）は側面図、（ｃ）は背面図、（ｄ）はＡ−Ａ断面図、（ｅ）はＢ―Ｂ断面図である。
【図３】図１に示すヒューズのハウジングを構成する２つのハウジング分割体の他方を示すもので、（ａ）は当該ハウジング分割体の平面図、（ｂ）は側面図、（ｃ）は背面図、（ｄ）はＣ−Ｃ断面図、（ｅ）はＤ―Ｄ断面図である、
【図４】（ａ）は、図２（ｄ）に示す本願発明のハウジング分割体を金型で形成する概念図、（ｂ）はハウジング分割体に底面が存在する場合に、当該ハウジング分割体を金型で形成する概念図である。
【図５】図１に示すヒューズのハウジングの外側から取り付けられる外側カバーを示すもので、（ａ）は当該外側カバーの平面図、（ｂ）は側面図、（ｃ）は正面図である。
【図６】（ａ）は図１に示すヒューズの分解斜視図、（ｂ）は当該ヒューズが完成した全体斜視図である。
【図７】（ａ）は図６（ｂ）に示すヒューズの収納部周辺を拡大したＥ―Ｅ断面図（ヒューズの長尺方向に対して水平平面での断面図）、（ｂ）は収納部周辺を拡大したＦ―Ｆ断面図（ヒューズの長尺方向に対して垂直平面での断面図）である。
【図８】（ａ）は、本願発明の実施形態２に係るヒューズのハウジング分割体の一方を示す全体斜視図、（ｂ）は当該ハウジング分割体の他方を示す全体斜視図である。
【符号の説明】
【００１８】
１００        ヒューズ
２００        端子
３３０        折曲突部
３４０        折曲突部
５００        ハウジング
５２０        収納部
６００        可容体
Ｘ            可容体構成金属ガス
【発明を実施するための形態】
【００１９】
＜実施形態１＞
以下に、本願発明の実施形態１について、図面を用いて説明する。なお、以下で説明する実施形態におけるヒューズの形状や材質等は、一例を示すものであって、これらに限定されるものではない。
【００２０】
図１は、本願発明のヒューズ１００を示すもので、このヒューズ１００は、ハウジング５００と、当該ハウジング５００の両端側から突出する一対の端子２００と、当該端子２００の間に接続され、ハウジング５００の収納部５２０内に収納される可容体６００とからなる。このヒューズ１００の両側の端子２００には接続孔２１０が形成されており、一方の接続孔２１０はバッテリ等の電源へ接続するために利用され、他方の接続孔２１０は自動車用のモータ等の電気機器へ接続するために利用される。
【００２１】
また、ハウジング５００は、２つのハウジング分割体３００とハウジング分割体４００とから構成されており、このハウジング分割体３００及びハウジング分割体４００の構成について、以下で詳しく説明する。
【００２２】
まず、図２には、ハウジング分割体３００を示す。このハウジング分割体３００は、ハウジング構成材料としての絶縁性の合成樹脂等を用いて、図２に示すような形状に金型により一体成形されている。具体的には、ハウジング分割体３００は、中央に収納部３１０を備え、その両端から水平方向に延びる平坦面３２０を備える。この収納部３１０は、四方が側面３１１に囲まれた、内側に窪んだ凹形状をしている。また、収納部３１０の上面は略正方形に開口しており、収納部３１０の下面の両側は縁部３１２となっている。ただし、折曲突部３３０が形成された部分の下側には、縁部３１２が形成されておらず、開口部３１３となっている。また、両側の平坦面３２０には、その表面から突出する係合突起３２１が計４つ設けられている。
【００２３】
また、折曲突部３３０は、絶縁性の合成樹脂等によりハウジング分割体３００と一体成形されたものであり、断面略Ｔ字状をしている。また、折曲突部３３０は、脚部３３１と当該脚部３３１より幅広の頂部３３２から構成されており、脚部３３１と頂部３３２の境界部分が折れ曲がった箇所となる。特に、この折曲突部３３０は、図２（ｅ）に示すように、相対する側面３１１のそれぞれから突出するように形成された部分と、当該部分から略直角に屈曲して、相対する側面３１１に掛け渡されるように形成された部分とからなる。そして、折曲突部３３０は、常に幅広の頂部３３２が収納部３１０の内側中央に面すると共に、収納部３１０の内側中央を囲むように側面視略コ字状に連続して形成されている。
【００２４】
次に、図３には、ハウジング分割体４００を示す。ハウジング分割体４００は、基本的にはハウジング分割体３００と同じ構成であり、ハウジング構成材料としての絶縁性の合成樹脂等を用いて、図３に示すような形状に金型により一体成形されている。具体的には、ハウジング分割体４００は、中央に収納部４１０を備え、その両端から水平方向に延びる平坦面４２０を備える。この収納部４１０は、四方が側面４１１に囲まれた、内側に窪んだ凹形状をしている。また、収納部４１０の上面は略正方形に開口しており、収納部４１０の下面の両端は縁部４１２となっている。ただし、折曲突部４３０が形成された部分の下側には、縁部４１２が形成されておらず、開口部４１３となっている。また、両側の平坦面４２０には、ハウジング分割体３００の係合突起３２１に対応する位置に、係合孔４２１が計４つ設けられている。
【００２５】
また、折曲突部４３０は、絶縁性の合成樹脂等によりハウジング分割体４００と一体成形されたものであり、断面略Ｔ字状をしている。また、折曲突部４３０は、脚部４３１と当該脚部４３１より幅広の頂部４３２から構成されており、脚部４３１と頂部４３２の境界部分が折れ曲がった箇所となる。特に、この折曲突部４３０は、図３（ｅ）に示すように、相対する側面４１１のそれぞれから突出するように形成された部分と、当該部分から略直角に屈曲して、相対する側面４１１に掛け渡されるように形成された部分とからなる。そして、折曲突部４３０は、常に幅広の頂部４３２が収納部４１０の内側中央に面すると共に、収納部４１０の内側中央を囲むように側面視略コ字状に連続して形成されている。
【００２６】
では、ここで、図２に示すハウジング分割体３００において、折曲突部３３０が形成された部分の下側が、なぜ、開口部３１３となっているのか説明する。まず、このハウジング分割体３００は、ハウジング分割体３００の形状を模った金型に、絶縁性の合成樹脂等の材料を流し込んで成形している。具体的には、図４（ａ）に示すように、外側の成形部（キャビティ）ＣＡ１と、内側の成形部（コア）ＣＯ１の間の空間に材料を流し込み、その後、流し込んで出来たハウジング分割体３００を金型の各成形部から外すことになる。その際、外側の成形部（キャビティ）ＣＡ１と内側の成形部（コア）ＣＯ１を上下に移動させて外すことになるが、ハウジング分割体３００には、各成形部（キャビティ又はコア）に引っ掛かる部分がないため、各成形部をスムーズに外すことができる。
【００２７】
次に、図４（ｂ）に示すように、折曲突部３３０の下面側まで、縁部３１２と連続した底面３１４が設けられていると仮定する。この場合は、内側の成形部（コア）ＣＯ２は、下方へ向けて外すことができる。ただし、外側の成形部（キャビティ）ＣＡ２を、上方へ向けて外す際に、成形部（キャビティ）ＣＡ２の一部（図４（ｂ）のＹを参照）が、折曲突部３３０の脚部３３１と頂部３３２の境界部分の折曲箇所に、引っ掛かってしまう。そのため、金型からハウジング分割体３００を取り出すことができない問題が生じる。
【００２８】
したがって、上記問題に鑑み、本願発明では、折曲突部３３０が形成された部分の下側には底面を形成せず、開口部３１３とすることによって、ハウジング分割体３００を金型からスムーズに外して一体成形できるようにしたのである。また、このハウジング分割体３００と同じ理由により、ハウジング分割体４００でも、折曲突部４３０が形成された部分の下側には底面を形成せず、開口部４１３としている。
【００２９】
ただ、可容体６００を収納する収納部３１０及び収納部４１０は、可容体６００を外部に晒さないために、密閉されていなければならず、開口部３１３及び開口部４１３を塞ぐ必要がある。そのため、本願発明では、図５に示す外側カバー５１０を採用することにした。
【００３０】
では、この外側カバー５１０の構成について、図５を参照して詳しく説明する。この外側カバー５１０は、絶縁性の合成樹脂等により一体成形されたもので、平坦面５１１と、その両端に取付部５１２を備える。この平坦面５１１は、図２に示すハウジング分割体３００の開口部３１３の全面を覆うことができる大きさになっている。同様に、この平坦面５１１は、図３に示すハウジング分割体４００の開口部４１３の全面を覆うことができる大きさにもなっている。また、取付部５１２は、長孔で形成される取付孔５１３を備えており、図２に示すハウジング分割体３００の取付突起３１５に係合することができる。
【００３１】
では次に、本願発明のヒューズ１００の組み立て方法について、図６を参照して説明する。
【００３２】
まず、図６に示すヒューズエレメント７００を準備する。このヒューズエレメント７００は、厚さが均一な銅等の導電性金属板を図６に示すような形状に打ち抜いて一体成形したもので、その両端が端子２００となり、その端子２００の間の幅狭の部分が、可容体６００となっている。また、端子２００には、上下に貫通する取付孔２２０が形成されている。なお、ヒューズエレメント７００の構成は、本実施形態に限定されることはなく、端子２００と可容体６００を別々に形成した後に、端子２００と可容体６００を半田等で固定してもよい。また、可容体６００は、ヒューズエレメント７００の中央部分の幅を狭くして直線状に形成しているが、当該形状に限定されることはなく、所定の過電流が流れた際に溶断できるものであれば、湾曲形状等の任意の形状を採用することができる。
【００３３】
次に、ハウジング分割体３００とハウジング分割体４００を、互いの収納部３１０と収納部４１０とが向き合うように、ヒューズエレメント７００の上下から挟み込んで取り付ける。具体的には、ヒューズエレメント７００の取付孔２２０にハウジング分割体３００の係合突起３２１が貫通するように、ハウジング分割体３００をヒューズエレメント７００の下方から宛がう。そして、ヒューズエレメント７００の取付孔２２０から飛び出た係合突起３２１の先端が、ハウジング分割体４００の係合孔４２１を貫通するように、ハウジング分割体４００をヒューズエレメント７００の上方から宛がう。さらに、係合孔４２１から飛び出た係合突起３２１の先端を加熱して、係合孔４２１の周囲と係合突起３２１の先端とを溶着させることで、ハウジング分割体３００とハウジング分割体４００を強固に固定する。
【００３４】
このように、ハウジング分割体３００とハウジング分割体４００を互いに向き合うように固定することで、可容体６００は、ハウジング分割体３００の収納部３１０とハウジング分割体４００の収納部４１０によって囲まれて、収納部３１０と収納部４１０とからなる収納部５２０に収納されることになる。また、折曲突部３３０の端部３３３と折曲突部４３０の端部４３３（図３（ａ）参照）は互いに当接するので、この折曲突部３３０と折曲突部４３０によって、収納部５２０の内面の全周に亘り連続する折曲突部が形成されることになる。
【００３５】
次に、ハウジング分割体３００の開口部３１３を覆うために、ハウジング分割体３００の外側から外側カバー５１０を取り付ける。具体的には、ハウジング分割体３００の開口部３１３に平坦面５１１を宛がい、取付部５１２の取付孔５１３をハウジング分割体３００の取付突起３１５に係止させる。そして、取付突起３１５を加熱して、取付孔５１３の周囲と取付突起３１５とを溶着させることで、外側カバー５１０はハウジング分割体３００と強固に固定される。
【００３６】
また、同様に、ハウジング分割体４００の開口部４１３を覆うために、ハウジング分割体４００の外側から外側カバー５１０を取り付ける。具体的には、ハウジング分割体４００の開口部４１３に平坦面５１１を宛がい、取付部５１２の取付孔５１３をハウジング分割体３００の取付突起３１５に係止させる。そして、取付突起３１５を加熱して、取付孔５１３の周囲と取付突起３１５を溶着させることで、外側カバー５１０はハウジング分割体４００と強固に固定される。このようにして、完成したヒューズ１００を、図６（ｂ）に示す。
【００３７】
では、次に、このヒューズ１００の作用及び効果について、図７を参照して説明する。
【００３８】
図７では、ヒューズ１００の一方の端子２００がバッテリ等の電源へ接続され、他方の端子２００が自動車用のモータ等の電気機器に接続され、このヒューズ１００には、比較的高い電圧（７０Ｖ等）が印加されている。
【００３９】
そして、電源と電気機器の間の回路において短絡事故等が発生して、ヒューズエレメント７００に過電流が流れると、可容体６００はジュール熱によって温度上昇して溶断する。そして、比較的大きな過電流（約２５００A）が流れているので、可容体６００はガス化して拡散することになる。この可容体６００を構成する材料は、銅や亜鉛合金等の導電性金属であるから、この材料がガス化して拡散する可容体構成金属ガスＸは、銅や亜鉛合金等の導電性金属の粒子となる。そして、この粒子状の可容体構成金属ガスＸは、可容体６００の溶断点を中心に、収納部５２０内面のあらゆる方向へ放射状に拡散していく。
【００４０】
まず、この飛散した可容体構成金属ガスＸは、図７（ａ）に示すように、収納部５２０の内面である側面３１１の可容体６００に面した部分、及び折曲突部３３０の頂部３３２の可容体６００に面した部分に付着する。しかし、可容体構成金属ガスＸは、頂部３３２の影になる部分、つまり、側面３１１の可容体６００に直接面しない部分（図７（ａ）の側面３１１の脚部３３１周辺部分）、及び、折曲突部３３０の頂部３３２の可容体６００に直接面しない部分（図７（ａ）の頂部３３２の側面や裏面）には付着していない。そのため、収納部５２０の内面である側面３１１に、可容体構成金属ガスＸが連続して付着することを防止することができ、連続した金属ガス付着面が形成されることはない。なお、当該効果は、ハウジング分割体３００と同様の構成を備えるハウジング分割体４００においても発揮される。
【００４１】
また、可容体構成金属ガスＸは、図７（ｂ）に示すように、収納部５２０の内面である平坦面５１１の可容体６００に面した部分、及び折曲突部３３０の頂部３３２の可容体６００に面した部分に付着する。しかし、可容体構成金属ガスＸは、頂部３３２の影になる部分、つまり、平坦面５１１の可容体６００に直接面しない部分（図７（ｂ）の平坦面５１１の脚部３３１周辺部分）、及び、折曲突部３３０の頂部３３２の可容体６００に直接面しない部分（図７（ｂ）の頂部３３２の側面や裏面）には付着していない。そのため、収納部５２０の内面である平坦面５１１に、可容体構成金属ガスＸが連続して付着することを防止することができ、連続した金属ガス付着面が形成されることはない。なお、当該効果は、ハウジング分割体３００と同様の構成を備えるハウジング分割体４００及びこのハウジング分割体４００側に取り付けられた平坦面５１１においても発揮される。
【００４２】
このように、本願発明のヒューズ１００によれば、ハウジング５００の収納部５２０の内面の全周にわたり、つまり側面３１１及び平坦面５１１にわたり、折曲突部３３０及び折曲突部４３０が連続して形成されているので、収納部５２０の内面に可容体構成金属ガスＸが連続して付着することを確実に防止でき、その結果、リーク電流がハウジングの内面を流れて両端子間の導通が継続し、ハウジング及び端子の溶損が発生することを回避できる。
【００４３】
特に、中電流向けのヒューズのように、比較的高い電流（約２５００A）が流れる場合、可容体構成金属ガスＸが飛散する範囲が、あらゆる方向へ広範囲に拡大する。しかし、本願発明のヒューズ１００によれば、ハウジング５００の収納部５２０の内面全周にわたり、折曲突部３３０及び折曲突部４３０が連続して形成されているので、可容体構成金属ガスＸが収納部５２０のいずれの内面、つまり、側面３１１及び平坦面５１１に飛散して付着したとしても、その内面において可容体構成金属ガスＸが連続して付着することを確実に防止でき、本願発明の効果がより顕著に発揮されるのである。なお、当然ながら、本願発明のヒューズ１００は、中電流向けのヒューズだけでなく、低電流（約１０００A）から大電流（約２５００A以上）まで、あらゆるヒューズに対しても、有効である。
【００４４】
また、本願発明のヒューズ１００のハウジング５００は、金型を用いて一体成形された、２つのハウジング分割体３００及びハウジング分割体４００から構成されており、更に、折曲突部を備える構成であるから、ハウジング分割体（３００、４００）の製造過程において、ハウジング分割体（３００、４００）を金型から外すことが出来ない虞がある。しかしながら、本願発明によれば、折曲突部（３３０、４３０）と、収納部５２０の底面を構成する外側カバー５１０とは別体であるから、ハウジング分割体（３００、４００）を金型から外す際に、折曲突部（３３０、４３０）の一部と金型とが引っ掛かる事がなく、金型をスムーズに外すことができる。
【００４５】
さらに、本願発明のヒューズ１００の外側カバー５１０は、ハウジング５００の外側から取り付けることができるので、ヒューズ１００を組み立てる際は、先に完成したハウジング５００の外側から、外側カバー５１０を単純に取付けさえすればよく、ヒューズ１００の組み立てが非常に容易である。
【００４６】
なお、本実施形態においては、折曲突部３３０（折曲突部４３０も同様である。）は、脚部３３１と頂部３３２からなる断面略Ｔ字状の形態であるが、これに限定される事は無く、可容体６００に面した部分が影になって、可容体構成金属ガスＸが連続して付着することを防止できるような折曲箇所を備える形態であれば、その他の形状を採用してもよい。また、本実施形態においては、折曲突部（３３０、４３０）を２本設けたが、これに限定される事は無く、１つ又は３つ以上であっても、ハウジングの内面に可容体構成金属ガスＸが連続して付着することを防止できる。
【００４７】
また、折曲突部が、収納部５２０の内面の全周にわたり連続して形成されているが、これを言い換えると、一対の端子２００を結ぶ軸の周方向に位置する収納部５２０内面の全周（図７の側面３１１と平坦面５１１を参照）にわたり、連続して折曲突部が形成されていることになる。そして、一対の端子２００の間に位置する収納部５２０の内面に、その周方向へ一周するように、連続して折曲突部が形成されているので、収納部５２０のどの内面においても、一対の端子２００を結ぶ軸方向へ、可容体構成金属ガスＸが連続して付着することはないのである。
【００４８】
＜実施形態２＞
以下では、図８を参照して、本願発明の実施形態２に係るヒューズについて説明する。なお、実施形態２に係るヒューズでは、ハウジング５００Ａの構成が、図１に示すヒューズ１００のハウジング５００と異なるのみで、他の構成はヒューズ１００と同じなので、詳細な説明は省略する。
【００４９】
このハウジング５００Ａは、図８に示すような形状に、絶縁性の合成樹脂等を用いて金型により一体成形されたハウジング分割体３００Ａ及びハウジング分割体４００Ａから構成されている。まず、図８（ａ）に示すように、ハウジング分割体３００Ａは、中央に収納部３１０Ａを備え、その両端から水平方向に延びる平坦面３２０Ａを備える。この収納部３１０Ａは、四方が側面３１１Ａに囲まれた、内側に窪んだ凹形状をしている。また、収納部３１０Ａの上面は略正方形に開口しているが、収納部３１０Ａの下面は平坦な底面３１２Ａによって塞がれている。
【００５０】
このハウジング分割体３００Ａは、ハウジング分割体３００Ａの形状を模った金型に、つまり、外側の成形部（キャビティ）と、内側の成形部（コア）の間の空間に、絶縁性の合成樹脂等の材料を流し込んで成形している。そして、収納部３１０Ａの底面３１２Aには、凹凸形状をした部分が存在しないので、ハウジング分割体３００Aの上下に位置する形成部（キャビティ又はコア）を、それぞれ上下方向へスムーズに外すことができる。
【００５１】
そして、このハウジング分割体３００Ａを形成した後、このハウジング分割体３００Ａとは別に、絶縁性の合成樹脂等の材料で形成した断面略Ｔ字状の折曲突部３３０Ａを取り付ける。具体的には、折曲突部３３０Ａの両端側の脚部３３１Ａを側面３１１Ａの表面と接触させ、折曲突部３３０Ａの下端側の脚部３３１Ａを底面３１２Ａの表面と接触させ、各接触部分を接着材等で固定することで、折曲突部３３０Ａは収納部３１０Ａの内側に固定される。
【００５２】
また、図８（ｂ）に示すように、ハウジング分割体４００Ａは、中央に収納部４１０Ａを備え、その両端から水平方向に延びる平坦面４２０Ａを備える。この収納部４１０Ａは、四方が側面４１１Ａに囲まれた、内側に窪んだ凹形状をしている。また、収納部４１０Ａの上面は略正方形に開口しているが、収納部４１０Ａの下面は平坦な底面４１２Ａによって塞がれている。そして、ハウジング分割体３００Ａと同様に、ハウジング分割体４００Ａを型から外した後、このハウジング分割体４００Ａとは別に、絶縁性の合成樹脂等の材料で形成した断面略Ｔ字状の折曲突部４３０Ａを取り付ける。具体的には、折曲突部４３０Ａの両端側の脚部４３１Ａを側面４１１Ａの表面と接触させ、折曲突部４３０Ａの下端側の脚部４３１Ａを底面４１２Ａの表面と接触させ、各接触部分を接着材等で固定することで、折曲突部４３０Ａは収納部４１０Ａの内側に固定される。
【００５３】
そして、ハウジング分割体３００Ａとハウジング分割体４００Ａを、互いの収納部の開口側が向き合うように、ヒューズエレメントの上下から挟み込んで固定することで、ヒューズ１００Ａが完成する。このように、折曲突部（３３０Ａ、４３０Ａ）と、ハウジング５００Ａの収納部（収納部３１０Ａと収納部４１０Ａとで構成されている。）の底面（３１２Ａ、４１２Ａ）とは別体であるから、ハウジング分割体（３００Ａ、４００Ａ）を金型からスムーズに外すことができるのである。
【００５４】
また、本願発明のヒューズは、上記の実施例に限定されず、特許請求の範囲に記載された範囲、実施形態の範囲で、種々の変形例、組み合わせが可能であり、これらの変形例、組み合わせもその権利範囲に含むものである。
【図１】
0006363974.tif 000002
【図２】
0006363974.tif 000003
【図３】
0006363974.tif 000004
【図４】
0006363974.tif 000005
【図５】
0006363974.tif 000006
【図６】
0006363974.tif 000007
【図７】
0006363974.tif 000008
【図８】
0006363974.tif 000009